(57)【要約】【課題】浴室に容易に設置可能であって、外観的に優れた照明装置を提供することである。【解決手段】少なくとも２枚のパネル１２，１３で構成された天井１１を有する浴室１０に設置される照明装置１において、パネル１２，１３間に挟持設置されており、直線状であってパネル１２，１３と同等の長さを有し、レンズ５を備えており、レンズ５は任意の角度に調整可能である。レンズ５は、発光部６から照射される光の向きを変更するためのものである。発光部６として蛍光灯やダウンライトが用いられている場合には、レンズ５に凸レンズを採用して、光に指向性を持たせることが好ましい。或いは、発光部６としてＬＥＤ照明装置が用いられている場合には、ＬＥＤ照明装置は指向性が強いことから、レンズ５に凹レンズを採用して、光を拡散させることが好ましい。【選択図】図２
2012113902.tif 000002
【特許請求の範囲】
【請求項１】
少なくとも２枚のパネルで構成された天井を有する浴室に設置される照明装置において、前記パネル間に挟持設置されており、直線状であって前記パネルと同等の長さを有し、レンズを備えており、前記レンズは任意の角度に調整可能であることを特徴とする照明装置。
【発明の詳細な説明】
【技術分野】
【０００１】
本発明は、照明装置に関し、さらに詳細には、浴室に設置される照明装置に関する。
【背景技術】
【０００２】
浴室に設置される照明装置としては、浴室灯やダウンライト等が利用されている。一般的な浴室灯は、浴室全体を照らすことができ施工性やメンテナンス性に優れているが、天井や壁面から浴室内に突出して配置されるため、見た目にスマートさがない。
【０００３】
一方、一般的なダウンライトは、天井に埋め込まれるため無駄な出っ張りがなく外観に優れているが、照射角度が狭く特定の箇所以外は照らすことができない。
【０００４】
特許文献１には、浴室内の壁面と天井との角部に、照明器具を設けることが開示されている。長尺状の照明器具を角部に沿って水平に設置し、壁パネルの上端に凹部を設けて照明器具の一部を埋め込むことで、浴室内への出っ張りを抑制しており、浴室内の意匠性を向上できるとされている。
【先行技術文献】
【特許文献】
【０００５】
【特許文献１】特開２０１０−１９８８８２号公報
【発明の概要】
【発明が解決しようとする課題】
【０００６】
ところが、特許文献１に記載された照明器具では、壁パネルに埋め込まれた照明固定部の体積が照明器具本体に占める割合の２割程度であり、大部分が浴室内に突出しているため、すっきりした印象とは言い難い。
【０００７】
さらに、壁パネルに照明固定部を埋め込むためには、壁パネルに凹部を設ける必要があり、例えば既設のユニットバス等に設置する際には手間が掛かる。
【０００８】
そこで、本発明は、浴室に容易に設置可能であって、外観に優れた照明装置の提供を目的とする。
【課題を解決するための手段】
【０００９】
上記課題を解決するための請求項１に記載の発明は、少なくとも２枚のパネルで構成された天井を有する浴室に設置される照明装置において、前記パネル間に挟持設置されており、直線状であって前記パネルと同等の長さを有し、レンズを備えており、前記レンズは任意の角度に調整可能であることを特徴とする照明装置である。
【００１０】
一般的な浴室であるユニットバスやシステムバス等においては、施工性の良さ等から天井が２枚のパネルで構成されていることが多い。
【００１１】
本発明で採用する照明装置は、直線状であって、天井を構成するパネルと同等の長さを有し、パネル間に挟持設置されている。従来のダウンライトでは、天井を穿孔して埋め込む必要があったが、この照明装置においては、その必要がない。つまり、容易に設置できると共に、天井に照明器具を埋め込むことと同じ効果を得ることができる。
【００１２】
さらに、本発明で採用する照明装置は、レンズを備えており、前記レンズは任意の角度に調整可能である。従来のダウンライトでは、特定の箇所以外は照らすことができなかったが、可変可能なレンズでそれを克服している。
【発明の効果】
【００１３】
本発明の照明装置によれば、浴室に容易に設置可能であって、外観に優れている。
【図面の簡単な説明】
【００１４】
【図１】本発明の実施形態に係る照明装置を示す図であり、（ａ）は正面図、（ｂ）は（ａ）のＡ−Ａ断面図である。
【図２】浴室内の天井への照明装置の取付状態を示す説明図であり、（ａ）はレンズが水平にある状態、（ｂ）はレンズが傾斜した状態を示す。
【発明を実施するための形態】
【００１５】
以下、本発明の照明装置の実施形態について、図面を参照しながら詳細に説明する。なお、以下の説明は、実施形態の理解を容易にするためのものであり、これによって、本発明が制限して理解されるべきではない。
【００１６】
図１（ａ）に示す照明装置１は、後述する浴室１０内で用いられるものである。照明装置１は、本体２と、支持部３，３と、パッキン４，４と、レンズ５とを有している。
【００１７】
本体２は、長尺状の照明ユニットであり、後述するパネル１２，１３と同等の長さを有している。支持部３，３は、略コ字状の本体２の左右にそれぞれ取り付けられている。支持部３，３は、レンズ５を左右から挟持しており、レンズ５を回動可能に軸支している。なお、レンズ５は、本体２と平行に配置されている。
【００１８】
また、支持部３，３の底面には、パッキン４，４が貼付されている。パッキン４，４は従来公知の緩衝材である。
【００１９】
図１（ｂ）に示すように、本体２は、内部に発光部６を有しており、発光部６の下側に防滴板７を有している。防滴板７は、透光性を有した板部材である。防滴板７の下側には、レンズ５が対向配置されている。
【００２０】
発光部６は、後述する浴室１０内を照らすための光源である。発光部６には、従来公知の蛍光灯を用いることが好ましく、複数のダウンライトを直線状に並べたものを用いても構わない。或いは、発光部６として、複数のＬＥＤ照明装置を直線状に並べたものを用いても構わない。
【００２１】
防滴板７は、透過性を有した部材である。防滴板７は、浴室１０内において、水蒸気等が発光部６に触れるのを防止する。
【００２２】
レンズ５は、発光部６から照射される光の向きを変更するためのものである。レンズ５は、従来公知のアクリル製のものやガラス等で構成される。図１（ａ）に示すように、レンズ５は長尺状の１本ものである。
【００２３】
発光部６として蛍光灯やダウンライトが用いられている場合には、レンズ５に凸レンズを採用して、光に指向性を持たせることが好ましい。或いは、発光部６としてＬＥＤ照明装置が用いられている場合には、ＬＥＤ照明装置は指向性が強いことから、レンズ５に凹レンズを採用して、光を拡散させることが好ましい。
【００２４】
つぎに、浴室１０内における照明装置１の取付状態について図２（ａ），（ｂ）を用いて説明する。なお、図２（ａ），（ｂ）は、天井１１を構成するパネル１２，１３を断面視した図である。
【００２５】
図２（ａ）に示す通り、照明装置１は、天井１１を構成するパネル１２，１３のつなぎ目１４に位置している。パネル１２，１３は、それぞれ表面１８，１９に直交する立上り縁２０，２１を有している。照明装置１の本体２は、パネル１２，１３の立上り縁２０，２１にビス１５，１６で固定されている。換言すれば、照明装置１は、パネル１２，１３間に挟持設置されている。
【００２６】
レンズ５は、本体２に対して水平に配置されている。レンズ５は、パネル１２，１３の表面１８，１９と略面一となっている。この状態において発光部６から光３０を発光させると、本体２と平行なレンズ５を介して光３１が照射される。
【００２７】
一方、図２（ｂ）においては、レンズ５は本体２に対して傾斜している。この状態において発光部６から光３０を発光させると、傾いたレンズ５を介して光３２が照射される。レンズ５は、本体２に設けられた支持部３，３で回動可能に軸支されていることから、レンズ５を任意の角度に調整することで、発光部６から照射される光の向きを変更することが可能である。すなわち、浴室１０内において、図示しない浴槽や洗い場等、使用者が所望する方向に光３２を照射することができる。
【００２８】
本実施形態の照明装置１においては、レンズ５を長尺状の１本ものとする例を示したが、本発明はこれに限定されるものではない。例えば、レンズ５として、複数のレンズを接続したものを用いても構わない。この場合、複数のレンズはそれぞれ向きを自在に可変可能とすることで、浴室１内のあらゆる所を複数のレンズで同時に照射することができる。
【符号の説明】
【００２９】
１    照明装置
５    レンズ
１０    浴室
１１    天井
１２，１３    パネル
【図１】
2012113902.tif 000003
【図２】
2012113902.tif 000004